(57)【要約】【課題】コネクタ同士の半嵌合状態を防止する。【解決手段】コネクタ装置１は、ハウジング１１０に取り付けられた導電端子１２０及び規制部材１３０を有するリセプタクルコネクタ１００と、ハウジング２１０に取り付けられた導電端子２２０及び規制部材２３０を有するプラグコネクタ２００とを備える。規制部材１３０，２３０はそれぞれ、各コネクタ１００，２００が嵌合した状態において互いに向けて突出する突出部１３３ｂ，２３２ｂを含む。突出部２３２ｂが突出部１３３ｂを乗り越える前の状態において、突出部１３３ｂは、ハウジング１１０，２１０を互いに離間させる方向に作用する弾性力を突出部２３２ｂに付与する。突出部２３２ｂが突出部１３３ｂを乗り越えた後の状態において、突出部１３３ｂは、ハウジング１１０，２１０を互いに近接させる方向に作用する弾性力Ａｒｃ４を突出部２３２ｂに付与し、導電端子１２０，２２０を電気的に接続させる。【選択図】図１４
2018101559.tif 000002
【特許請求の範囲】
【請求項１】
第１の絶縁ハウジングと、前記第１の絶縁ハウジングに取り付けられた複数の第１の導電端子及び少なくとも一つの第１の規制部材とを有する第１のコネクタと、
第２の絶縁ハウジングと、前記第２の絶縁ハウジングに取り付けられた複数の第２の導電端子及び少なくとも一つの第２の規制部材とを有する第２のコネクタとを備え、
前記第１の絶縁ハウジングには底面に対して直立した嵌合凸部が設けられ、前記第２の絶縁ハウジングには前記嵌合凸部を収容可能な収容凹部が設けられており、
前記第１及び第２の規制部材はそれぞれ突出部を含み、
前記嵌合凸部が前記収容凹部内に収容された嵌合状態で見て、前記第１の規制部材の突出部は前記第２の規制部材に向けて突出していると共に、前記第２の規制部材の突出部は前記第１の規制部材に向けて突出しており、
前記第１及び第２の規制部材の一方の突出部は、
当該一方の突出部が他方の突出部を乗り越える前の状態において、前記第１及び第２の絶縁ハウジングを互いに離間させる離間方向に作用する第１の弾性力を当該他方の突出部に付与すると共に、
当該一方の突出部が他方の突出部を乗り越えた後の状態において、前記第１及び第２の絶縁ハウジングを互いに近接させる近接方向に作用する第２の弾性力を当該他方の突出部に付与し、前記第１の導電端子と前記第２の導電端子とを電気的に接続させる、コネクタ装置。
【請求項２】
前記第１及び第２の規制部材の一方の突出部は、頂点から前記離間方向及び前記近接方向に離れるにつれて突出量が小さくなる山型形状を呈する、請求項１に記載のコネクタ装置。
【請求項３】
前記第１の導電端子は、前記嵌合状態で見て、対応する前記第２の導電端子に向けて突出する突出部を含み、
前記第２の導電端子は、前記嵌合状態で見て、対応する前記第１の導電端子に向けて突出する突出部を含み、
前記第１及び第２の導電端子の一方の突出部は、
当該一方の突出部が他方の突出部を乗り越える前の状態において、前記第１及び第２の絶縁ハウジングを互いに離間させる方向に作用する第３の弾性力を当該他方の突出部に付与すると共に、
当該一方の突出部が他方の突出部を乗り越えた後の状態において、前記第１及び第２の絶縁ハウジングを互いに近接させる方向に作用する第４の弾性力を当該他方の突出部に付与する、請求項１に記載のコネクタ装置。
【請求項４】
前記第１及び第２の導電端子の一方の突出部が他方の突出部を乗り越えた後で且つ前記第１及び第２の規制部材の一方の突出部が他方の突出部を乗り越える前の状態において、前記第４の弾性力は前記第１の弾性力よりも小さい、請求項３に記載のコネクタ装置。
【請求項５】
前記第１及び第２の導電端子の一方の突出部は、頂点から前記離間方向及び前記近接方向に離れるにつれて突出量が小さくなる山型形状を呈する、請求項３又は４に記載のコネクタ装置。
【請求項６】
前記第１の絶縁ハウジングは、前記第１のコネクタが第１の配線基板に実装された状態で前記第１の配線基板に対して伏せられる第１の実装面と、前記第１の実装面と対向し且つ前記底面に対して直立した前記嵌合凸部の先端側に位置する第１の対向面とを含み、
前記第２の絶縁ハウジングは、前記第２のコネクタが第２の配線基板に実装された状態で前記第２の配線基板に対して伏せられる第２の実装面と、前記第２の実装面と対向し且つ前記収容凹部の開口側に位置する第２の対向面とを含み、
前記第１及び第２の規制部材の突出部は共に、頂点から前記離間方向及び前記近接方向に離れるにつれて突出量が小さくなる山型形状を呈し、
前記第１及び第２の導電端子の突出部は共に、頂点から前記離間方向及び前記近接方向に離れるにつれて突出量が小さくなる山型形状を呈し、
（Ａ）前記第１の導電端子の突出部の頂点は、前記離間方向及び前記近接方向において前記第１の規制部材の突出部の頂点よりも前記第１の対向面側に位置すると共に、前記第２の規制部材の突出部の頂点は、前記離間方向及び前記近接方向において前記第２の導電端子の突出部の頂点よりも前記第２の対向面側に位置するか、又は、（Ｂ）前記第１の規制部材の突出部の頂点は、前記離間方向及び前記近接方向において前記第１の導電端子の突出部の頂点よりも前記第１の対向面側に位置すると共に、前記第２の導電端子の突出部の頂点は、前記離間方向及び前記近接方向において前記第２の規制部材の突出部の頂点よりも前記第２の対向面側に位置する、請求項４に記載のコネクタ装置。
【請求項７】
前記第１の規制部材は、前記第１の配線基板に対して取り付けられる取付部を含み、
前記第２の規制部材は、前記第２の配線基板に対して取り付けられる取付部を含む、請求項６に記載のコネクタ装置。
【請求項８】
前記嵌合凸部が前記収容凹部内に収容されておらず且つ外力が付与されていない状態では、前記第１及び第２の規制部材同士が当接しているが前記第１及び第２の導電端子同士が当接していない、請求項１〜７のいずれか一項に記載のコネクタ装置。
【請求項９】
前記嵌合凸部と前記収容凹部とは共に、前記嵌合状態で見て互いに対向する壁部を有し、
前記第１の規制部材及び前記第１の導電端子は前記収容凹部の壁部に配置され、
前記第２の規制部材及び前記第２の導電端子は前記嵌合凸部の壁部に配置され、
前記第１の規制部材及び前記第１の導電端子の各突出部は、前記嵌合状態で見て前記嵌合凸部の壁部から外方に向けて突出しており、
前記第２の規制部材及び前記第２の導電端子の各突出部は、前記嵌合状態で見て前記収容凹部の壁部から内方に向けて突出している、請求項１〜８のいずれか一項に記載のコネクタ装置。
【請求項１０】
前記第１のコネクタは一対の前記第１の規制部材を有し、
前記第２のコネクタは一対の前記第２の規制部材を有し、
一対の前記第１の規制部材は、複数の前記第１の導電端子が並ぶ方向において複数の前記第１の導電端子を間に置くように位置しており、
一対の前記第２の規制部材は、複数の前記第２の導電端子が並ぶ方向において複数の前記第２の導電端子を間に置くように位置している、請求項１〜９のいずれか一項に記載のコネクタ装置。
【発明の詳細な説明】
【技術分野】
【０００１】
本開示は、コネクタ装置に関する。
【背景技術】
【０００２】
特許文献１は、フレキシブルプリント基板（FPC：Flexible Printed Circuits）等を含む配線基板同士を接続する、いわゆる基板対基板（ボード・トゥ・ボード：Board to Board）接続のコネクタ装置を開示している。当該コネクタ装置は、第１の配線基板に実装されるプラグコネクタと、第２の配線基板に実装されるリセプタクルコネクタとを備える。
【０００３】
プラグコネクタは、第１の配線基板上に載置される第１ハウジングと、所定方向に並ぶように第１ハウジングに対して取り付けられた複数の第１コンタクト（導電端子）と、嵌合完了を検知するための検知スイッチの一部を構成すると共に第１ハウジングに取り付けられた第１半田ペグとを有する。リセプタクルコネクタは、第２の配線基板上に載置される第２ハウジングと、所定方向に並ぶように第２ハウジングに対して取り付けられた複数の第２コンタクトと、検知スイッチの一部を構成すると共に第２ハウジングに取り付けられた第２半田ペグとを有する。
【０００４】
プラグコネクタをリセプタクルコネクタに対して挿入すると、第１コンタクトと、これに対応する第２コンタクトとが所定の圧力で接触する。これにより、第１の配線基板と第２の配線基板とが電気的に接続される。その後、プラグコネクタをリセプタクルコネクタに対してさらに挿入すると、第１半田ペグと第２半田ペグとが接触する。これにより、検知スイッチが閉回路を構成し、嵌合完了が検知される。すなわち、嵌合完了後における第１及び第２コンタクトの接触点の第１の配線基板からの高さは、第１及び第２半田ペグの接触点の第１の配線基板からの高さよりも高く設定されている。そのため、特許文献１のコネクタ装置においては、嵌合する際に、第１及び第２コンタクト同士が、第１及び第２半田ペグ同士よりも先に接触する。従って、検知スイッチが閉回路をなしているか否かにより、第１及び第２コンタクト同士が導通しているか否かが検知できる。
【先行技術文献】
【特許文献】
【０００５】
【特許文献１】特開２０１１−２４３３３２号公報
【発明の概要】
【発明が解決しようとする課題】
【０００６】
しかしながら、例えばプラグコネクタとリセプタクルコネクタとが斜めに嵌合するなど、両コネクタが完全に嵌合していない状態（以下、「半嵌合状態」という。）であっても、検知スイッチが閉回路状態となることがある。この場合、コネクタ装置は導通検査をパスして市場へと流通するが、コネクタ装置が半嵌合状態だと、外部からの振動、衝撃等によってプラグコネクタとリセプタクルコネクタとの嵌合が外れてしまうことがあり得る。
【０００７】
そこで、本開示は、コネクタ同士の半嵌合状態を防止することが可能なコネクタ装置を説明する。
【課題を解決するための手段】
【０００８】
［１］本開示の一つの観点に係るコネクタ装置は、第１の絶縁ハウジングと、第１の絶縁ハウジングに取り付けられた複数の第１の導電端子及び少なくとも一つの第１の規制部材とを有する第１のコネクタと、第２の絶縁ハウジングと、第２の絶縁ハウジングに取り付けられた複数の第２の導電端子及び少なくとも一つの第２の規制部材とを有する第２のコネクタとを備える。第１の絶縁ハウジングには底面に対して直立した嵌合凸部が設けられ、第２の絶縁ハウジングには嵌合凸部を収容可能な収容凹部が設けられている。第１及び第２の規制部材はそれぞれ突出部を含む。嵌合凸部が収容凹部内に収容された嵌合状態で見て、第１の規制部材の突出部は第２の規制部材に向けて突出していると共に、第２の規制部材の突出部は第１の規制部材に向けて突出している。第１及び第２の規制部材の一方の突出部は、当該一方の突出部が他方の突出部を乗り越える前の状態において、第１及び第２の絶縁ハウジングを互いに離間させる離間方向に作用する第１の弾性力を当該他方の突出部に付与すると共に、当該一方の突出部が他方の突出部を乗り越えた後の状態において、第１及び第２の絶縁ハウジングを互いに近接させる近接方向に作用する第２の弾性力を当該他方の突出部に付与し、第１の導電端子と第２の導電端子とを電気的に接続させる。
【０００９】
本開示の一つの観点に係るコネクタ装置では、第１及び第２の規制部材の一方の突出部は、当該一方の突出部が他方の突出部を乗り越える前の状態において、第１及び第２の絶縁ハウジングを互いに離間させる方向に作用する第１の弾性力（反発力）を当該他方の突出部に付与する。そのため、第１及び第２の規制部材の一方の突出部が他方の突出部を乗り越えるまでは、第１の弾性力が第１及び第２の規制部材の突出部同士の間に作用して第１及び第２の絶縁ハウジング同士を互いに分離させ、第１のコネクタと第２のコネクタとが嵌合していない非嵌合状態とする。一方、本開示の一つの観点に係るコネクタ装置では、第１及び第２の規制部材の一方の突出部は、当該一方の突出部が他方の突出部を乗り越えた後の状態において、第１及び第２の絶縁ハウジングを互いに近接させる方向に作用する第２の弾性力（引込力）を当該他方の突出部に付与する。そのため、第１及び第２の規制部材の一方の突出部が他方の突出部を乗り越えた後は、第２の弾性力が第１及び第２の規制部材の突出部同士の間に作用して第１及び第２の絶縁ハウジング同士を互いに近づかせ、第１の導電端子と第２の導電端子との電気的接続が完了した嵌合状態とする。以上のように、第１及び第２の導電端子の間において生ずる第１及び第２の弾性力により、両コネクタは強制的に非嵌合状態及び嵌合状態のどちらか一方の状態とされる。従って、コネクタ同士の半嵌合状態を防止することが可能となる。
【００１０】
［２］上記第１項に記載のコネクタ装置において、第１及び第２の規制部材の一方の突出部は、頂点から離間方向及び近接方向に離れるにつれて突出量が小さくなる山型形状を呈していてもよい。この場合、極めて簡易な形状により、第１及び第２の規制部材の一方の突出部が第１及び第２の弾性力を他方の突出部に作用させることが可能となる。
【００１１】
［３］上記第１項に記載のコネクタ装置において、第１の導電端子は、嵌合状態で見て、対応する第２の導電端子に向けて突出する突出部を含み、第２の導電端子は、嵌合状態で見て、対応する第１の導電端子に向けて突出する突出部を含み、第１及び第２の導電端子の一方の突出部は、当該一方の突出部が他方の突出部を乗り越える前の状態において、第１及び第２の絶縁ハウジングを互いに離間させる方向に作用する第３の弾性力を当該他方の突出部に付与すると共に、当該一方の突出部が他方の突出部を乗り越えた後の状態において、第１及び第２の絶縁ハウジングを互いに近接させる方向に作用する第４の弾性力を当該他方の突出部に付与してもよい。上記のコネクタ装置では、第１及び第２の導電端子の一方の突出部は、当該一方の突出部が他方の突出部を乗り越える前の状態において、第１及び第２の絶縁ハウジングを互いに離間させる方向に作用する第３の弾性力（反発力）を当該他方の突出部に付与しているので、第１及び第２の導電端子の一方の突出部が他方の突出部を乗り越えるまでは、第３の弾性力が第１及び第２の導電端子の突出部同士の間に作用して第１及び第２の絶縁ハウジング同士を互いに分離させ、第１のコネクタと第２のコネクタとが嵌合していない非嵌合状態とする。一方、上記のコネクタ装置では、第１及び第２の導電端子の一方の突出部は、当該一方の突出部が他方の突出部を乗り越えた後の状態において、第１及び第２の絶縁ハウジングを互いに近接させる方向に作用する第４の弾性力（引込力）を当該他方の突出部に付与している。そのため、第１及び第２の導電端子の一方の突出部が他方の突出部を乗り越えた後は、第４の弾性力が第１及び第２の導電端子の突出部同士の間に作用して第１及び第２の絶縁ハウジング同士を互いに近づかせ、第１の導電端子と第２の導電端子との電気的接続が完了した嵌合状態とする。以上のように、第１及び第２の規制部材の間において生ずる第３及び第４の弾性力により、両コネクタは強制的に非嵌合状態及び嵌合状態のどちらか一方の状態とされる。従って、コネクタ同士の半嵌合状態をいっそう防止することが可能となる。
【００１２】
［４］上記第３項に記載のコネクタ装置において、第１及び第２の導電端子の一方の突出部が他方の突出部を乗り越えた後で且つ第１及び第２の規制部材の一方の突出部が他方の突出部を乗り越える前の状態において、第４の弾性力は第１の弾性力よりも小さくてもよい。この場合、第１及び第２の規制部材の一方の突出部が他方の突出部を乗り越えるよりも先に、第１及び第２の導電端子の一方の突出部が他方の突出部を乗り越え、第１及び第２の導電端子の各突出部間において第４の弾性力が生ずる。ただし、第４の弾性力は第１の弾性力よりも小さいので、第１及び第２の規制部材の一方の突出部が他方の突出部を乗り越えるまでは、第１の弾性力によって第１及び第２の絶縁ハウジング同士を互いに分離させ、第１のコネクタと第２のコネクタとが嵌合していない非嵌合状態とする。換言すれば、第１及び第２の導電端子の各突出部同士の係合のみならず第１及び第２の規制部材の各突出部同士の係合が加わることにより初めて、嵌合状態が作出される。その結果、非嵌合状態と嵌合状態との間の半嵌合状態が極めて生じ難くなる。
【００１３】
［５］上記第３項又は第４項に記載のコネクタ装置において、第１及び第２の導電端子の一方の突出部は、頂点から離間方向及び近接方向に離れるにつれて突出量が小さくなる山型形状を呈してもよい。この場合、極めて簡易な形状により、第１及び第２の導電端子の一方の突出部が第３及び第４の弾性力を他方の突出部に作用させることが可能となる。
【００１４】
［６］上記第４項に記載のコネクタ装置において、第１の絶縁ハウジングは、第１のコネクタが第１の配線基板に実装された状態で第１の配線基板に対して伏せられる第１の実装面と、第１の実装面と対向し且つ底面に対して直立した嵌合凸部の先端側に位置する第１の対向面とを含み、第２の絶縁ハウジングは、第２のコネクタが第２の配線基板に実装された状態で第２の配線基板に対して伏せられる第２の実装面と、第２の実装面と対向し且つ前記収容凹部の開口側に位置する第２の対向面とを含み、第１及び第２の規制部材の突出部は共に、頂点から離間方向及び近接方向に離れるにつれて突出量が小さくなる山型形状を呈し、第１及び第２の導電端子の突出部は共に、頂点から離間方向及び近接方向に離れるにつれて突出量が小さくなる山型形状を呈し、（Ａ）第１の導電端子の突出部の頂点は、離間方向及び近接方向において第１の規制部材の突出部の頂点よりも第１の対向面側に位置すると共に、第２の規制部材の突出部の頂点は、離間方向及び近接方向において第２の導電端子の突出部の頂点よりも第２の対向面側に位置するか、又は、（Ｂ）第１の規制部材の突出部の頂点は、離間方向及び近接方向において第１の導電端子の突出部の頂点よりも第１の対向面側に位置すると共に、第２の導電端子の突出部の頂点は、離間方向及び近接方向において第２の規制部材の突出部の頂点よりも第２の対向面側に位置していてもよい。この場合、第１及び第２の導電端子の各突出部の頂点と、第１及び第２の規制部材の各突出部の頂点とが、上記（Ａ）又は（Ｂ）の位置関係にあるので、第１〜第４の弾性力を効果的に生じさせることが可能となる。
【００１５】
［７］上記第６項に記載のコネクタ装置において、第１の規制部材は、第１の配線基板に対して取り付けられる取付部を含み、第２の規制部材は、第２の配線基板に対して取り付けられる取付部を含んでもよい。この場合、各コネクタをそれぞれ対応する配線基板に取り付ける取付部としての機能を各規制部材が併有する。そのため、新たな部材が不要となるので、構成の簡略化及びコストの低減を図ることが可能となる。
【００１６】
［８］上記第１項〜第７項のいずれか一項に記載のコネクタ装置において、嵌合凸部が収容凹部内に収容されておらず且つ外力が付与されていない状態では、第１及び第２の規制部材同士が当接しているが第１及び第２の導電端子同士が当接していなくてもよい。この場合、第１及び第２の導電端子同士の間に電気が流れないので、非嵌合状態にあるコネクタ装置を導通検査の実施によって簡易に選別することが可能となる。
【００１７】
［９］上記第１項〜第８項のいずれか一項に記載のコネクタ装置において、嵌合凸部と収容凹部とは共に、嵌合状態で見て互いに対向する壁部を有し、第１の規制部材及び第１の導電端子は収容凹部の壁部に配置され、第２の規制部材及び第２の導電端子は嵌合凸部の壁部に配置され、第１の規制部材及び第１の導電端子の各突出部は、前記嵌合状態で見て嵌合凸部の壁部から外方に向けて突出しており、第２の規制部材及び第２の導電端子の各突出部は、前記嵌合状態で見て収容凹部の壁部から内方に向けて突出していてもよい。この場合、規制部材同士及び導電端子同士が嵌合凸部及び収容凹部の各壁部の対向方向において接触する。そのため、コネクタ同士の嵌合方向において、規制部材同士及び導電端子同士が接触するスペースが削減される。従って、コネクタ装置の小型化を図ることが可能となる。
【００１８】
［１０］上記第１項〜第９項のいずれか一項に記載のコネクタ装置において、第１のコネクタは一対の第１の規制部材を有し、第２のコネクタは一対の第２の規制部材を有し、一対の第１の規制部材は、複数の第１の導電端子が並ぶ方向において複数の第１の導電端子を間に置くように位置しており、一対の第２の規制部材は、複数の第２の導電端子が並ぶ方向において複数の第２の導電端子を間に置くように位置していてもよい。この場合、複数の第１の導電端子の両側に位置する一対の第１の規制部材と、複数の第２の導電端子の両側に位置する一対の第２の規制部材とが係合するので、コネクタ装置の両端側において第１及び第２のコネクタの嵌合状態が保持される。そのため、第１及び第２のコネクタがいったん嵌合すると、コネクタ同士が外れ難くなる。
【発明の効果】
【００１９】
本開示に係るコネクタ装置によれば、コネクタ同士の半嵌合状態を防止することが可能となる。
【図面の簡単な説明】
【００２０】
【図１】図１は、コネクタ装置の一例（第１の例）を示す斜視図である。
【図２】図２は、図１のＩＩ−ＩＩ線断面図である。
【図３】図３は、図２のＩＩＩ−ＩＩＩ線断面図である。
【図４】図４は、図１のコネクタ装置を構成するリセプタクルコネクタを示す斜視図である。
【図５】図５は、図４のＶ−Ｖ線断面図である。
【図６】図６は、図５のＶＩ−ＶＩ線断面図である。
【図７】図７は、図１のコネクタ装置を構成するプラグコネクタを示す斜視図である。
【図８】図８は、図７のＶＩＩＩ−ＶＩＩＩ線断面図である。
【図９】図９は、図８のＩＸ−ＩＸ線断面図である。
【図１０】図１０の（ａ）は、第１の例に係る両コネクタの端子同士が嵌合する過程における載置状態を説明するための断面図であり、図１０の（ｂ）は、第１の例に係る両コネクタの規制部材同士が嵌合する過程における載置状態を説明するための図である。
【図１１】図１１の（ａ）は、第１の例に係る両コネクタの端子同士が嵌合する過程における第１の加圧状態を説明するための断面図であり、図１１の（ｂ）は、第１の例に係る両コネクタの規制部材同士が嵌合する過程における第１の加圧状態を説明するための図である。
【図１２】図１２の（ａ）は、第１の例に係る両コネクタの端子同士が嵌合する過程における第２の加圧状態を説明するための断面図であり、図１２の（ｂ）は、第１の例に係る両コネクタの規制部材同士が嵌合する過程における第２の加圧状態を説明するための図である。
【図１３】図１３の（ａ）は、第１の例に係る両コネクタの端子同士が嵌合する過程における第３の加圧状態を説明するための断面図であり、図１３の（ｂ）は、第１の例に係る両コネクタの規制部材同士が嵌合する過程における第３の加圧状態を説明するための図である。
【図１４】図１４の（ａ）は、第１の例に係る両コネクタの端子同士が嵌合する過程における嵌合状態を説明するための断面図であり、図１４の（ｂ）は、第１の例に係る両コネクタの規制部材同士が嵌合する過程における嵌合状態を説明するための図である。
【図１５】図１５は、リセプタクルコネクタの他の例（第２の例）を示す斜視図である。
【図１６】図１６は、図１５のＸＶＩ−ＸＶＩ線断面図である。
【図１７】図１７の（ａ）は、第２の例に係る両コネクタの中央近傍の端子同士が嵌合する過程における載置状態を説明するための断面図であり、図１７の（ｂ）は、第２の例に係る両コネクタの端部近傍の端子同士が嵌合する過程における載置状態を説明するための図である。
【図１８】図１８の（ａ）は、第２の例に係る両コネクタの中央近傍の端子同士が嵌合する過程における第１の加圧状態を説明するための断面図であり、図１８の（ｂ）は、第２の例に係る両コネクタの端部近傍の端子同士が嵌合する過程における第１の加圧状態を説明するための図である。
【図１９】図１９の（ａ）は、第２の例に係る両コネクタの中央近傍の端子同士が嵌合する過程における第２の加圧状態を説明するための断面図であり、図１９の（ｂ）は、第２の例に係る両コネクタの端部近傍の端子同士が嵌合する過程における第２の加圧状態を説明するための図である。
【図２０】図２０の（ａ）は、第２の例に係る両コネクタの中央近傍の端子同士が嵌合する過程における第３の加圧状態を説明するための断面図であり、図２０の（ｂ）は、第２の例に係る両コネクタの端部近傍の端子同士が嵌合する過程における第３の加圧状態を説明するための図である。
【図２１】図２１の（ａ）は、第２の例に係る両コネクタの中央近傍の端子同士が嵌合する過程における嵌合状態を説明するための断面図であり、図２１の（ｂ）は、第２の例に係る両コネクタの端部近傍の端子同士が嵌合する過程における嵌合状態を説明するための図である。
【図２２】図２２は、リセプタクルコネクタの他の例（第３の例）を示す斜視図である。
【図２３】図２３の（ａ）は図２２のＸＸＩＩＩＡ−ＸＸＩＩＩＡ線断面図であり、図２３の（ｂ）は図２２のＸＸＩＩＩＢ−ＸＸＩＩＩＢ線断面図であり、図２３の（ｃ）は図２２のＸＸＩＩＩＣ−ＸＸＩＩＩＣ線断面図である。
【図２４】図２４は、コネクタ装置の他の例（第４の例）において、リセプタクルコネクタとプラグコネクタとが嵌合する様子を説明するための図である。
【発明を実施するための形態】
【００２１】
以下に説明される本開示に係る実施形態は本発明を説明するための例示であるので、本発明は以下の内容に限定されるべきではない。以下の説明において、同一要素又は同一機能を有する要素には同一符号を用いることとし、重複する説明は省略する。
【００２２】
［コネクタ装置の概要］
まず、コネクタ装置１の概要を説明する。コネクタ装置１は、図１〜図３に示されるように、リセプタクルコネクタ１００（第２のコネクタ）と、プラグコネクタ２００（第１のコネクタ）とを備える。リセプタクルコネクタ１００は配線基板Ｂ１（第２の配線基板）に実装されている。プラグコネクタ２００は、配線基板Ｂ１（第１の配線基板）とは異なる配線基板Ｂ２に実装されている。なお、図１〜図３以外の図では配線基板Ｂ１，Ｂ２の図示を省略している。
【００２３】
リセプタクルコネクタ１００とプラグコネクタ２００とは互いに嵌合可能に構成されている。プラグコネクタ２００がリセプタクルコネクタ１００に嵌合することにより、配線基板Ｂ１，Ｂ２が互いに電気的に接続される。すなわち、コネクタ装置１は、配線基板Ｂ１，Ｂ２を電気的且つ物理的に接続する機能を有する。配線基板Ｂ１，Ｂ２としては、各種のプリント基板（例えばフレキシブルプリント基板等）を用いてもよい。
【００２４】
［リセプタクルコネクタの構成］
続いて、リセプタクルコネクタ１００の構成について、図４〜図６を参照して説明する。リセプタクルコネクタ１００は、ハウジング１１０（第２の絶縁ハウジング）と、複数の導電端子１２０（第２の導電端子）と、一対の規制部材１３０（第２の規制部材）とを有する。
【００２５】
ハウジング１１０は、樹脂等の絶縁材料で構成されている。ハウジング１１０は、所定方向に延びる直方体形状を呈している。ハウジング１１０は、実装面Ｓ１（第２の実装面）と、対向面Ｓ２（第２の対向面）とを含む（図５及び図６参照）。実装面Ｓ１は、リセプタクルコネクタ１００が配線基板Ｂ１に半田接続等で実装された状態で、配線基板Ｂ１に対向し且つ配線基板Ｂ１に対して伏せられる。対向面Ｓ２は、実装面Ｓ１と対向し且つ後述する収容凹部Ｖの開口側に位置している。リセプタクルコネクタ１００の説明に際し、以下では、実装面Ｓ１と対向面Ｓ２との対向方向を「Ｚ方向」と称する。また、リセプタクルコネクタ１００の説明に際し、以下では、実装面Ｓ１を基準にして配線基板Ｂ１側を「下」といい、実装面Ｓ１を基準にして対向面Ｓ２側を「上」ということがある。
【００２６】
ハウジング１１０は、底壁部１１１と、側壁部１１２〜１１５と、中央壁部１１６とを含む。底壁部１１１は、矩形状を呈する板状体である。底壁部１１１の底面は実装面Ｓ１を構成している。
【００２７】
側壁部１１２〜１１５はそれぞれ、底壁部１１１に対して直立した状態で底壁部１１１上に設けられている。側壁部１１２，１１３（壁部）はそれぞれ、底壁部１１１の各長辺上に位置し、当該長辺に沿って延びている。側壁部１１４，１１５はそれぞれ、底壁部１１１の各短辺上に位置し、当該短辺に沿って延びている。そのため、側壁部１１２，１１３同士は互いに対向しており、側壁部１１４，１１５同士は互いに対向している。リセプタクルコネクタ１００の説明に際し、以下では、側壁部１１２，１１３の対向方向を「Ｘ方向」と称し、側壁部１１４，１１５の対向方向を「Ｙ方向」と称する。
【００２８】
中央壁部１１６は、底壁部１１１に対して直立した状態で底壁部１１１上に設けられている。中央壁部１１６は、側壁部１１２〜１１５から離間した状態で、側壁部１１２〜１１５で囲まれる空間内に位置している。中央壁部１１６は、底壁部１１１の長辺に沿って延びている。そのため、中央壁部１１６は、側壁部１１２，１１３と対向している。底壁部１１１と、側壁部１１２〜１１５と、中央壁部１１６とで囲まれる空間によって、収容凹部Ｖが形成されている。従って、収容凹部Ｖは、四角環状を呈している。
【００２９】
複数の導電端子１２０（本実施形態では２０個の導電端子１２０）は、側壁部１１２に取り付けられている。そのため、側壁部１１２には複数の導電端子１２０がその延在方向（Ｙ方向）に一列に並んでいる。側壁部１１３にも同様に複数の導電端子１２０（本実施形態では２０個の導電端子１２０）が取り付けられている。これらの導電端子１２０の構成は同じであるので、以下では、側壁部１１２における導電端子１２０について説明し、側壁部１１３における導電端子１２０の説明は省略する。
【００３０】
導電端子１２０は、板状の導電材料（例えば金属部材）によって構成されている。導電端子１２０は、図６に示されるように、基端部１２１（取付部）と、中間部１２２と、接触部１２３とを含む。基端部１２１は、底壁部１１１の近傍に位置しており、側壁部１１２から外方に向けてＸ方向に延びている。基端部１２１は、リセプタクルコネクタ１００が配線基板Ｂ１に実装される際に、配線基板Ｂ１の電極（図示せず）とハンダ等によって接続される。そのため、基端部１２１は、配線基板Ｂ１に取り付けられる取付部として機能する。
【００３１】
中間部１２２は、実装面Ｓ１の近傍から上方に向けて、側壁部１１２に沿ってＺ方向に延びている。中間部１２２は、側壁部１１２に形成された溝に対し圧入によって固定される部分である。中間部１２２の下端部は、基端部１２１のうち側壁部１１２寄りの端部と一体的に接続されている。
【００３２】
接触部１２３は、中間部１２２に対して片持ち状に支持されている。接触部１２３は、収容凹部Ｖ内に位置している。接触部１２３は、突出部１２３ａと、湾曲部１２３ｂと、突出部１２３ｃとを含む。
【００３３】
突出部１２３ａは、中間部１２２の上端部と一体的に接続されている。突出部１２３ａは、山型形状を呈しており、側壁部１１２側から側壁部１１３側（中央壁部１１６側）に向けてＸ方向に突出している。具体的には、突出部１２３ａは、山型の頂点Ｐ１からＺ方向（上下方向）に離れるにつれてＸ方向における突出量が小さくなっており、頂点Ｐ１から両裾野に向けて拡がる形状を呈している。
【００３４】
すなわち、突出部１２３ａのうち頂点Ｐ１から上方の部分（頂点Ｐ１と中間部１２２との間の部分）は、頂点Ｐ１から見て、上方（対向面Ｓ２）に向かうにつれて側壁部１１２に近づくように傾斜している。一方、突出部１２３ａのうち頂点Ｐ１から下方の部分（頂点Ｐ１と湾曲部１２３ｂとの間の部分）は、頂点Ｐ１からみて、下方（実装面Ｓ１）に向かうにつれて側壁部１１２に近づくように傾斜している。
【００３５】
湾曲部１２３ｂは、対向面Ｓ２の近傍から下方に向けて延びて実装面Ｓ１の近傍で上方に向けて折り返すように形成された略Ｕ字形状を呈している。突出部１２３ｃは、突出部１２３ａと同様に山型形状を呈しており、側壁部１１３側から側壁部１１２側に向けて突出している。
【００３６】
一対の規制部材１３０の一方は、図４及び図５に示されるように、側壁部１１４に取り付けられている。側壁部１１５にも同様に一対の規制部材１３０の他方が取り付けられている。すなわち、これらの一対の規制部材１３０は、複数の導電端子１２０が並ぶ方向（Ｙ方向）においてこれらの導電端子１２０を間に置くように位置している。これらの規制部材１３０の構成は同じであるので、以下では、側壁部１１４における規制部材１３０について説明し、側壁部１１５における規制部材１３０の説明は省略する。
【００３７】
規制部材１３０は、板状の導電材料（例えば金属部材）によって構成されている。規制部材１３０は、図５に示されるように、一対の基端部１３１（取付部）と、中間部１３２と、接触部１３３とを含む。一対の基端部１３１は、図４に示されるように、実装面Ｓ１に隣接して位置していると共に、Ｘ方向において側壁部１１４の両側に位置している。一対の基端部１３１は、実装面Ｓ１の近傍から上方に延びている。一対の基端部１３１は、側壁部１１４に設けられたスリット１１４ａ内に圧入されることによって、ハウジング１１０に固定されている。一対の基端部１３１の下端は、リセプタクルコネクタ１００が配線基板Ｂ１に実装された状態で、配線基板Ｂ１の電極（図示せず）とハンダ等によって接続される。そのため、基端部１３１は、配線基板Ｂ１に取り付けられる取付部として機能する。
【００３８】
中間部１３２は、Ｘ方向において一対の基端部１３１の間に位置している。中間部１３２の上端部は、一対の基端部１３１の上端部と一体的に接続されている。中間部１３２は、側壁部１１４に沿って上下方向（Ｚ方向）に延びている。
【００３９】
接触部１３３は、中間部１３２に対して片持ち状に支持されている。接触部１３３の一部は、収容凹部Ｖ内に位置している。接触部１３３は、湾曲部１３３ａと、突出部１３３ｂとを含む。湾曲部１３３ａは、対向面Ｓ２の近傍から下方に延びて実装面Ｓ１の近傍で上方に向けて折り返すように形成された略Ｕ字形状を呈している。湾曲部１３３ａの一端部（下端部）は、中間部１３２の下端部と一体的に接続されている。湾曲部１３３ａは、Ｚ方向（上下方向）に沿って延びている。湾曲部１３３ａの上端部は、中央壁部１１６と対向している。
【００４０】
突出部１３３ｂは、山型形状を呈しており、側壁部１１４側から側壁部１１５側（中央壁部１１６側）に向けて突出している。具体的には、突出部１３３ｂは、山型の頂点Ｐ２からＺ方向（上下方向）に離れるにつれてＹ方向における突出量が小さくなっており、頂点Ｐ２から両裾野に向けて拡がる形状を呈している。
【００４１】
すなわち、突出部１３３ｂのうち頂点Ｐ２から下方の部分（頂点Ｐ２と湾曲部１３３ａとの間の部分）は、頂点Ｐ２から見て、下方（実装面Ｓ１）に向かうにつれて側壁部１１４に近づくように傾斜している。一方、突出部１３３ｂのうち頂点Ｐ２から上方（対向面Ｓ２側）の部分は、頂点Ｐ２からみて、上方（対向面Ｓ２）に向かうにつれて側壁部１１４に近づくように傾斜している。
【００４２】
ところで、図５及び図６に示されるように、パラメータｄ１，ｄ２をそれぞれ
ｄ１：配線基板Ｂ１の表面から導電端子１２０の突出部１２３ａの頂点Ｐ１までのＺ方向における高さ
ｄ２：配線基板Ｂ１の表面から規制部材１３０の突出部１３３ｂの頂点Ｐ２までのＺ方向における高さ
としたときに、ｄ１＜ｄ２が満たされている。すなわち、頂点Ｐ２は、頂点Ｐ１よりも上方（対向面Ｓ２側）に位置している。
【００４３】
［プラグコネクタの構成］
続いて、プラグコネクタ２００の構成について、図７〜図９を参照して説明する。プラグコネクタ２００は、ハウジング２１０（第１の絶縁ハウジング）と、複数の導電端子２２０（第１の導電端子）と、一対の規制部材２３０（第１の規制部材）とを有する。
【００４４】
ハウジング２１０は、樹脂等の絶縁材料で構成されている。ハウジング２１０は、所定方向に延びる直方体形状を呈している。ハウジング２１０は、実装面Ｓ３（第１の実装面）と、対向面Ｓ４（第１の対向面）とを含む（図８及び図９参照）。実装面Ｓ３は、プラグコネクタ２００が配線基板Ｂ２に半田接続等で実装された状態で、配線基板Ｂ２に対向し且つ配線基板Ｂ２に対して伏せられる。対向面Ｓ４は、実装面Ｓ３と対向し且つ後述する嵌合凸部Ｗの先端側に位置している。プラグコネクタ２００の説明に際し、以下では、実装面Ｓ３と対向面Ｓ４との対向方向を「Ｚ方向」と称する。また、プラグコネクタ２００の説明に際し、以下では、実装面Ｓ３を基準にして配線基板Ｂ２側を「下」といい、実装面Ｓ３を基準にして対向面Ｓ４側を「上」ということがある。
【００４５】
ハウジング２１０は、底壁部２１１と、側壁部２１２〜２１５とを含む。底壁部２１１は、矩形状を呈する板状体である。底壁部２１１の底面は実装面Ｓ３を構成している。
【００４６】
側壁部２１２〜２１５はそれぞれ、底壁部２１１に対して直立した状態で底壁部２１１上に設けられている。側壁部２１２〜２１５は、プラグコネクタ２００がリセプタクルコネクタ１００と嵌合する際に、リセプタクルコネクタ１００の収容凹部Ｖ内に収容される。そのため、側壁部２１２〜２１５は、全体として嵌合凸部Ｗを構成している。
【００４７】
側壁部２１２，２１３（壁部）はそれぞれ、底壁部２１１の各長辺近傍に位置し、当該長辺に沿って延びている。側壁部２１４，２１５はそれぞれ、底壁部２１１の各短辺上に位置し、当該短辺に沿って延びている。そのため、側壁部２１２，２１３同士は互いに対向しており、側壁部２１４，２１５同士は互いに対向している。従って、嵌合凸部Ｗは、四角筒状を呈している。四角筒状を呈する嵌合凸部Ｗの内部空間には、プラグコネクタ２００がリセプタクルコネクタ１００と嵌合する際に、リセプタクルコネクタ１００の中央壁部１１６が収容される。プラグコネクタ２００の説明に際し、以下では、側壁部２１２，２１３の対向方向を「Ｘ方向」と称し、側壁部２１４，２１５の対向方向を「Ｙ方向」と称する。
【００４８】
複数の導電端子２２０（本実施形態では２０個の導電端子２２０）は、側壁部２１２に取り付けられている。そのため、側壁部２１２には複数の導電端子２２０がその延在方向（Ｙ方向）に一列に並んでいる。側壁部２１３にも同様に複数の導電端子２２０（本実施形態では２０個の導電端子２２０）が取り付けられている。これらの導電端子２２０の構成は同じであるので、以下では、側壁部２１２における導電端子２２０について説明し、側壁部２１３における導電端子２２０の説明は省略する。
【００４９】
導電端子２２０は、板状の導電材料（例えば金属部材）によって構成されている。導電端子２２０は、図９に示されるように、基端部２２１（取付部）と、接触部２２２と、固定部２２３とを含む。基端部２２１は、底壁部２１１の近傍に位置しており、側壁部２１２から外方に向けてＸ方向に延びている。基端部２２１は、プラグコネクタ２００が配線基板Ｂ２に実装される際に、配線基板Ｂ２の電極（図示せず）とハンダ等によって接続される。そのため、基端部２２１は、配線基板Ｂ２に取り付けられる取付部として機能する。
【００５０】
接触部２２２は、側壁部２１２の外表面に沿ってＺ方向に延びている。接触部２２２は、平坦部２２２ａと、突出部２２２ｂとを含む。平坦部２２２ａは、直線状を呈している。平坦部２２２ａの下端部は、基端部２２１のうち側壁部２１２寄りの端部と一体的に接続されている。
【００５１】
突出部２２２ｂは、平坦部２２２ａの上端部と一体的に接続されている。突出部２２２ｂは、山型形状を呈しており、側壁部２１２から外方に向けてＸ方向に突出している。具体的には、突出部２２２ｂは、山型の頂点Ｐ３からＺ方向（上下方向）に離れるにつれてＸ方向における突出量が小さくなっており、頂点Ｐ３から両裾野に向けて拡がる形状を呈している。
【００５２】
すなわち、突出部２２２ｂのうち頂点Ｐ３から下側の部分（頂点Ｐ３と平坦部２２２ａとの間の部分）は、頂点Ｐ３から見て、下方（実装面Ｓ３）に向かうにつれて側壁部２１２に近づくように傾斜している。一方、突出部２２２ｂのうち頂点Ｐ３から上側の部分（頂点Ｐ３よりも対向面Ｓ４側の部分）は、頂点Ｐ３からみて、上方（対向面Ｓ４）に向かうにつれて側壁部２１２に近づくように傾斜している。
【００５３】
固定部２２３は、側壁部２１２の内壁面に沿ってＺ方向に延びている。固定部２２３の上端部は、突出部２２２ｂの上端部と一体的に接続されており、実装面Ｓ３の近傍から上方に向けて延びて対向面Ｓ４の近傍で下方に向けて折り返すように形成された略Ｕ字形状を呈している。固定部２２３の下端部は、側壁部２１２内に固定されている。
【００５４】
一対の規制部材２３０の一方は、図７及び図８に示されるように、側壁部２１４に取り付けられている。側壁部２１５にも同様に一対の規制部材２３０の他方が取り付けられている。すなわち、これらの一対の規制部材２３０は、複数の導電端子２２０が並ぶ方向（Ｙ方向）においてこれらの導電端子２２０を間に置くように位置している。これらの規制部材２３０の構成は同じであるので、以下では、側壁部２１４における規制部材２３０について説明し、側壁部２１５における規制部材２３０の説明は省略する。
【００５５】
規制部材２３０は、板状の導電材料（例えば金属部材）によって構成されている。規制部材２３０は、図８に示されるように、基端部２３１（取付部）と、接触部２３２と、固定部２３３とを含む。基端部２３１は、図７に示されるように、底壁部２１１の底面に位置しており、側壁部２１４の両側に位置するようにＸ方向に延びている。基端部１３１は、プラグコネクタ２００が配線基板Ｂ２に実装される際に、配線基板Ｂ２の電極（図示せず）とハンダ等によって接続される。そのため、基端部２３１は、配線基板Ｂ２に取り付けられる取付部として機能する。
【００５６】
接触部２３２は、側壁部２１４の外表面に沿ってＺ方向に延びている。接触部２３２は、平坦部２３２ａと、突出部２３２ｂとを含む。平坦部２３２ａは、直線状を呈している。平坦部２３２ａの下端部は、基端部２２１のうち側壁部２１４寄りの側縁と一体的に接続されている。
【００５７】
突出部２３２ｂは、平坦部２３２ａの上端部と一体的に接続されている。突出部２３２ｂは、山型形状を呈しており、側壁部２１４から外方に向けてＹ方向に突出している。具体的には、突出部２３２ｂは、山型の頂点Ｐ４からＺ方向（上下方向）に離れるにつれてＹ方向における突出量が小さくなっており、頂点Ｐ４から両裾野に向けて拡がる形状を呈している。
【００５８】
すなわち、突出部２３２ｂのうち頂点Ｐ４から下方の部分（頂点Ｐ４と平坦部２３２ａとの間の部分）は、頂点Ｐ４から見て、下方（実装面Ｓ３）に向かうにつれて側壁部２１４に近づくように傾斜している。一方、突出部２３２ｂのうち頂点Ｐ４よりも上方の部分は、頂点Ｐ４からみて、上方（対向面Ｓ４）に向かうにつれて側壁部２１４に近づくように傾斜している。
【００５９】
固定部２３３は、Ｌ字形状を呈している。固定部２３３のうち一端部は、突出部２３２ｂの上端部と一体的に接続されている。固定部２２３のうち他端部は、側壁部２１４内に固定されている。
【００６０】
ところで、図８及び図９に示されるように、パラメータｄ３，ｄ４をそれぞれ
ｄ３：配線基板Ｂ２の表面から導電端子２２０の突出部２２２ｂの頂点Ｐ３までのＺ方向における高さ
ｄ４：配線基板Ｂ２の表面から規制部材２３０の突出部２３２ｂの頂点Ｐ４までのＺ方向における高さ
としたときに、ｄ３＞ｄ４が満たされている。すなわち、頂点Ｐ３は、頂点Ｐ４よりも上方（対向面Ｓ４側）に位置している。
【００６１】
［コネクタ装置の詳細］
続いて、リセプタクルコネクタ１００とプラグコネクタ２００とが嵌合されてなるコネクタ装置１の構成について、図１〜図３を参照してより詳細に説明する。以下では、側壁部１１２における導電端子１２０と側壁部２１２における導電端子２２０との関係を説明するが、側壁部１１３における導電端子１２０と側壁部２１３における導電端子２２０との関係も同様であるので、その説明を省略する。また、以下では、側壁部１１４における規制部材１３０と側壁部２１４における規制部材２３０との関係を説明するが、側壁部１１５における規制部材１３０と側壁部２１５における規制部材２３０との関係も同様であるので、その説明を省略する。さらに、コネクタ装置１の説明に際し、以下では便宜的に、実装面Ｓ１を基準にして配線基板Ｂ１側を「下」といい、実装面Ｓ１を基準にして対向面Ｓ２側を「上」とする。
【００６２】
リセプタクルコネクタ１００とプラグコネクタ２００とが嵌合した状態（嵌合状態）においては、ハウジング１１０の収容凹部Ｖ内にハウジング２１０の嵌合凸部Ｗが収容されている。具体的には、側壁部１１２と中央壁部１１６との間に側壁部２１２が位置している。側壁部１１３と中央壁部１１６との間に側壁部２１３が位置している。側壁部１１４と中央壁部１１６との間に側壁部２１４が位置している。側壁部１１５と中央壁部１１６との間に側壁部２１５が位置している。
【００６３】
嵌合状態で見て、図３に示されるように、接触部２２２及び固定部２２３は、側壁部２１２と共に接触部１２３内に挿入されている。接触部２２２及び固定部２２３が接触部１２３内に挿入された場合、接触部２２２、固定部２２３及び側壁部２１２によって接触部１２３がＸ方向へ押し拡げられる。そのため、接触部１２３が元の形状に戻ろうとする弾性力が接触部２２２及び固定部２２３に作用して、突出部１２３ａが接触部２２２（平坦部２２２ａ）に当接すると共に、突出部１２３ｃが固定部２２３に当接する。すなわち、接触部２２２、固定部２２３及び側壁部２１２が接触部１２３によって挟持される。このとき、突出部１２３ａと一体的に接続された中間部１２２の上端部も、Ｘ方向において外方に膨らむように変形する。
【００６４】
嵌合状態で見て、図２に示されるように、接触部２３２及び側壁部２１４は、規制部材１３０の接触部１３３をＹ方向において外方に加圧している。そのため、接触部１３３が元の形状に戻ろうとする弾性力が接触部２３２及び側壁部２１４に作用して、突出部１３３ｂが接触部２３２（平坦部２３２ａ）に当接する。すなわち、プラグコネクタ２００が側壁部１１４における規制部材１３０と側壁部１１５における規制部材１３０とによって挟持される。このとき、突出部１３３ｂと一体的に接続された中間部１３２の下端部もＹ方向において外方に膨らむように変形する。
【００６５】
導電端子１２０における突出部１２３ａは、図３に示されるように、嵌合状態で見て、導電端子２２０における接触部２２２及び中央壁部１１６に向けて突出している。同様に、導電端子２２０における突出部２２２ｂは、嵌合状態で見て、突出部１２３ａ及び側壁部１１２に向けて突出している。
【００６６】
規制部材１３０における突出部１３３ｂは、図２に示されるように、嵌合状態で見て、規制部材２３０における接触部２３２及び側壁部２１４に向けて突出している。同様に、規制部材２３０における突出部２３２ｂは、嵌合状態で見て、規制部材１３０における接触部１３３及び側壁部１１４に向けて突出している。
【００６７】
［コネクタ装置の組立方法］
続いて、図１０〜図１４を参照して、コネクタ装置１の組立方法（製造方法）について説明する。コネクタ装置１はリセプタクルコネクタ１００とプラグコネクタ２００とが嵌合してなるので、具体的には、リセプタクルコネクタ１００とプラグコネクタ２００との嵌合過程を説明する。なお、嵌合過程の説明では、図１０〜図１４に示されるように、便宜的に、実装面Ｓ１を基準にして配線基板Ｂ１側を「下」といい、実装面Ｓ１を基準にして対向面Ｓ２側を「上」とする。
【００６８】
側壁部１１２における導電端子１２０と側壁部２１２における導電端子２２０との嵌合過程は、側壁部１１３における導電端子１２０と側壁部２１３における導電端子２２０との嵌合過程と同様であるので、以下では、前者について説明し、後者の説明は省略する。また、側壁部１１４における規制部材１３０と側壁部２１４における規制部材２３０との嵌合過程は、側壁部１１５における規制部材１３０と側壁部２１５における規制部材２３０との嵌合過程と同様であるので、以下では、前者について説明し、後者の説明は省略する。
【００６９】
（１）載置状態
まず、図１０に示されるように、導電端子１２０，２２０同士と、規制部材１３０，２３０同士と、対向面Ｓ２，Ｓ４同士と、収容凹部Ｖ及び嵌合凸部Ｗとがいずれも対向するように、リセプタクルコネクタ１００にプラグコネクタ２００を載置する。リセプタクルコネクタ１００にプラグコネクタ２００が載置されており、両コネクタ１００，２００に外力が付与されていない状態を「載置状態」という。
【００７０】
載置状態では、図１０（ｂ）に示されるように、突出部１３３ｂの頂点Ｐ２よりも上側（対向面Ｓ２側）の斜面と、突出部２３２ｂの頂点Ｐ４よりも下側（対向面Ｓ４側）の斜面とが当接する。そのため、突出部１３３ｂは、プラグコネクタ２００の重量を受けつつ、その反力を突出部２３２ｂに付与する。従って、規制部材１３０は、プラグコネクタ２００をリセプタクルコネクタ１００から離間させる方向（離間方向）に作用する弾性力Ａｒｃ０（第１の弾性力）を突出部２３２ｂに付与している。
【００７１】
一方、載置状態では、図１０（ａ）に示されるように、導電端子１２０の突出部１２３ａと導電端子２２０の突出部２２２ｂとは当接していない。従って、導電端子１２０と導電端子２２０とは電気的に接続されていない。
【００７２】
（２）第１の加圧状態
次に、図１１に示されるように、載置状態にあるプラグコネクタ２００に圧力Ｐｒ１を付与して、リセプタクルコネクタ１００に対してプラグコネクタ２００を押し込む。そのため、プラグコネクタ２００は載置状態よりも下方に移動する。このとき、図１１（ｂ）に示されるように、突出部２３２ｂの頂点Ｐ４は突出部１３３ｂの頂点Ｐ２よりも上方にある。このときの状態を「第１の加圧状態」という。第１の加圧状態では、載置状態と同様に、突出部２３２ｂには、規制部材１３０から離間方向に作用する弾性力Ａｒｃ１が付与されている。
【００７３】
一方、第１の加圧状態では、図１１（ａ）に示されるように、導電端子１２０の突出部１２３ａの頂点Ｐ１よりも上側（対向面Ｓ２側）の斜面と、導電端子２２０の突出部２２２ｂの頂点Ｐ３よりも下側（対向面Ｓ４側）の斜面とが当接する。このとき、突出部１２３ａは、プラグコネクタ２００の重量及び圧力Ｐｒ１を受けつつ、その反力を突出部２２２ｂに付与する。これにより、導電端子１２０は、プラグコネクタ２００をリセプタクルコネクタ１００から離間させる方向（離間方向）に作用する弾性力Ａｒｔ１（第３の弾性力）を突出部２３２ｂに付与する。従って、この時点で圧力Ｐｒ１が除荷されると、プラグコネクタ２００が弾性力Ａｒｃ１（図１１（ｂ）参照），Ａｒｔ１により載置状態に戻される。すなわち、導電端子１２０と導電端子２２０とが電気的に接続された状態から電気的に接続されていない状態に戻される。
【００７４】
（３）第２の加圧状態
次に、図１２に示されるように、第１の加圧状態にあるプラグコネクタ２００に圧力Ｐｒ２を付与し、リセプタクルコネクタ１００に対してプラグコネクタ２００をさらに押し込む。そのため、プラグコネクタ２００は第１の加圧状態によりも下方に移動する。このとき、図１２（ｂ）に示されるように、突出部２３２ｂの頂点Ｐ４は突出部１３３ｂの頂点Ｐ２よりも上方にある。このときの状態を「第２の加圧状態」という。第２の加圧状態では、突出部２３２ｂには、規制部材１３０から離間方向に作用する弾性力Ａｒｃ２が付与されている。
【００７５】
一方、第２の加圧状態では、図１２（ａ）に示されるように、突出部２２２ｂの頂点Ｐ３と突出部１２３ａの頂点Ｐ１とは略同じ高さ位置にある。このとき、突出部２２２ｂの頂点Ｐ３及び突出部１２３ａの頂点Ｐ１には、導電端子１２０の接触部１２３の弾性力Ａｒｔ２によって水平方向への力が働く。そのため、導電端子１２０は、突出部２２２ｂに対して、両コネクタ１００，２００を互いに離間させる方向にも近接させる方向にも弾性力を付与していない。従って、この時点で圧力Ｐｒ２が除荷されると、プラグコネクタ２００が、弾性力Ａｒｃ２（図１２（ｂ）参照）により載置状態に戻される。すなわち、導電端子１２０と導電端子２２０とが電気的に接続された状態から電気的に接続されていない状態に戻される。
【００７６】
（４）第３の加圧状態
次に、図１３に示されるように、第２の加圧状態にあるプラグコネクタ２００に圧力Ｐｒ３を付与し、リセプタクルコネクタ１００に対してプラグコネクタ２００をさらに押し込む。そのため、プラグコネクタ２００は第２の加圧状態よりもさらに下方に移動する。このとき、図１３（ｂ）に示されるように、突出部２３２ｂの頂点Ｐ４は突出部１３３ｂの頂点Ｐ２と略同じ高さ位置にある。このときの状態を「第３の加圧状態」という。第３の加圧状態では、突出部１３３ｂの頂点Ｐ２と突出部２３２ｂの頂点Ｐ４には、規制部材１３０の接触部１３３の弾性力Ａｒｃ３によって水平方向への力が働く。そのため、規制部材１３０は、突出部２３２ｂに対して、両コネクタ１００，２００を互いに離間させる方向にも近接させる方向にも弾性力を付与していない。
【００７７】
一方、第３の加圧状態では、図１３（ａ）に示されるように、突出部１２３ａの頂点Ｐ１よりも下側（実装面Ｓ１側）の斜面と、突出部２２２ｂの頂点Ｐ３よりも上側（実装面Ｓ３側）の斜面とが当接する。突出部２２２ｂは、導電端子１２０の接触部１２３の弾性力によって、突出部１２３ａを外側に向けて押しのけつつ下方に移動していく。そのため、突出部１２３ａは、突出部２２２ｂによる水平方向の変位量が小さくなり、導電端子１２０を元の形状に戻そうとする反力を突出部２２２ｂに付与する。従って、導電端子１２０は、プラグコネクタ２００をリセプタクルコネクタ１００に近接させる方向（近接方向）に作用する弾性力Ａｒｔ３（第４の弾性力）を突出部２２２ｂに付与する。そのため、プラグコネクタ２００は、弾性力Ａｒｔ３によりリセプタクルコネクタ１００内に引き込まれる。
【００７８】
プラグコネクタ２００がリセプタクルコネクタ１００内に引き込まれると、図１４（ｂ）に示されるように、突出部１３３ｂの頂点Ｐ２よりも下側（実装面Ｓ１側）の斜面と、突出部２３２ｂの頂点Ｐ４よりも上側（実装面Ｓ３側）の斜面とが当接する。突出部２３２ｂは突出部１３３ｂを外側に向けて押しつつ下方に移動していくので、突出部１３３ｂは、規制部材１３０が元の形状に戻ろうとする反力を突出部２３２ｂに付与する。従って、規制部材１３０は、プラグコネクタ２００をリセプタクルコネクタ１００に近接させる方向（近接方向）に作用する弾性力Ａｒｃ４（第２の弾性力）を突出部２３２ｂに付与している。このとき、図１４（ａ）に示されるように、導電端子１２０も近接方向に作用する弾性力Ａｒｔ４を突出部２２２ｂに付与している。そのため、プラグコネクタ２００は、弾性力Ａｒｃ４，Ａｒｔ４によりリセプタクルコネクタ１００内に保持され、導電端子１２０と導電端子２２０との電気的接続が安定して維持される。これにより、図１〜図３に示されるように、リセプタクルコネクタ１００とプラグコネクタ２００との嵌合が完了する。こうして、コネクタ装置１が完成する。
【００７９】
［作用］
以上のような本実施形態では、規制部材２３０の突出部２３２ｂの頂点Ｐ４が規制部材１３０の突出部１３３ｂの頂点Ｐ２を乗り越える前の状態（載置状態；第１及び第２の加圧状態）において、突出部１３３ｂは、図１１及び図１２に示されるように、ハウジング１１０，２１０を互いに離間させる方向に作用する弾性力Ａｒｃ０〜Ａｒｃ２（反発力）を突出部２３２ｂに付与する。そのため、突出部２３２ｂの頂点Ｐ４が突出部１３３ｂの頂点Ｐ２を乗り越えるまでは、弾性力Ａｒｃ０〜Ａｒｃ２が突出部１３３ｂ，２３２ｂ同士の間に作用してハウジング１１０，２１０同士を互いに分離させ、リセプタクルコネクタ１００の導電端子１２０とプラグコネクタ２００の導電端子２２０とが電気的に接続されていない非嵌合状態とする。一方、本実施形態では、突出部２３２ｂの頂点Ｐ４が突出部１３３ｂの頂点Ｐ２を乗り越えた後の状態（第３の加圧状態）において、突出部１３３ｂは、図１４に示されるように、ハウジング１１０，２１０を互いに近接させる方向に作用する弾性力Ａｒｃ４（引込力）を突出部２３２ｂに付与する。そのため、突出部２３２ｂの頂点Ｐ４が突出部１３３ｂの頂点Ｐ２を乗り越えた後は、弾性力Ａｒｃ４が突出部１３３ｂ，２３２ｂ同士の間に作用してハウジング１１０，２１０同士を互いに近づかせ、導電端子１２０，２２０の電気的接続が完了した嵌合状態とする。こうして、導電端子１２０，２２０同士の電気的接続状態が安定して維持される。以上のように、規制部材１３０，２３０の間において生ずる弾性力Ａｒｃ０〜Ａｒｃ４により、両コネクタ１００，２００は強制的に非嵌合状態及び嵌合状態のどちらか一方の状態とされる。従って、コネクタ１００，２００同士の半嵌合状態を防止することが可能となる。
【００８０】
本実施形態では、導電端子２２０の突出部２２２ｂの頂点Ｐ３が導電端子１２０の突出部１２３ａの頂点Ｐ１を乗り越える前の状態（第１の加圧状態）において、突出部１２３ａは、ハウジング１１０，２１０を互いに離間させる方向に作用する弾性力Ａｒｔ１（反発力）を突出部２２２ｂに付与する。そのため、突出部２２２ｂの頂点Ｐ３が突出部１２３ａの頂点Ｐ１を乗り越えるまでは、弾性力Ａｒｔ１が突出部１２３ａ，２２２ｂ同士の間に作用してハウジング１１０，２１０同士を互いに分離させ、リセプタクルコネクタ１００とプラグコネクタ２００とが嵌合していない非嵌合状態とする。一方、本実施形態では、突出部２２２ｂの頂点Ｐ３が突出部１２３ａの頂点Ｐ１を乗り越えた後の状態において、突出部１２３ａは、ハウジング１１０，２１０を互いに近接させる方向に作用する弾性力Ａｒｔ３，Ａｒｔ４（引込力）を突出部２２２ｂに付与する。そのため、突出部２２２ｂの頂点Ｐ３が突出部１２３ａの頂点Ｐ１を乗り越えた後は、弾性力Ａｒｔ３，Ａｒｔ４が突出部１２３ａ，２２２ｂ同士の間に作用してハウジング１１０，２１０同士を互いに近づかせ、導電端子１２０，２２０の電気的接続が完了した嵌合状態とする。以上のように、導電端子１２０，２２０の間において生ずる弾性力により、両コネクタ１００，２００は強制的に非嵌合状態及び嵌合状態のどちらか一方の状態とされる。従って、コネクタ１００，２００同士の半嵌合状態をいっそう防止することが可能となる。
【００８１】
本実施形態では、図１３に示されるように、規制部材２３０の突出部２３２ｂの頂点Ｐ４が規制部材１３０の突出部１３３ｂの頂点Ｐ２を乗り越えるよりも先に、導電端子２２０の突出部２２２ｂの頂点Ｐ３が導電端子１２０の突出部１２３ａの頂点Ｐ１を乗り越え、突出部１２３ａ，２２２ｂ間において弾性力Ａｒｔ３が生ずる。図１２（ｂ）に示されるように、突出部２３２ｂの頂点Ｐ４が突出部１３３ｂの頂点Ｐ２を乗り越えるまでにこれらの突出部１３３ｂ，２３２ｂの間において生ずる弾性力Ａｒｃ２よりも、この弾性力Ａｒｔ３は小さい。そのため、規制部材２３０の突出部２３２ｂが規制部材１３０の突出部１３３ｂを乗り越えるまでは、弾性力Ａｒｃ０〜Ａｒｃ２によってハウジング１１０，２１０同士を互いに分離させ、導電端子１２０，２２０が電気的に接続されていない非嵌合状態が保たれる。換言すれば、導電端子１２０の突出部１２３ａと導電端子２２０の突出部２２２ｂとが引っ掛かり合うのみならず規制部材１３０の突出部１３３ｂと規制部材２３０の突出部２３２ｂとが引っ掛かり合うことにより初めて、嵌合状態が作出される。その結果、非嵌合状態と嵌合状態との間の半嵌合状態が極めて生じ難くなる。
【００８２】
本実施形態では、各突出部１２３ａ，１３３ｂ，２２２ｂ，２３２ｂは、頂点から上下両方向に離れるにつれて突出量が小さくなる山型形状を呈している。そのため、極めて簡易な形状により、対応する突出部に弾性力を作用させることが可能となる。
【００８３】
本実施形態では、図５及び図６に示されるようにリセプタクルコネクタ１００において高さｄ１が高さｄ２よりも小さく（ｄ１＜ｄ２）、図８及び図９に示されるようにプラグコネクタ２００において高さｄ３が高さｄ４よりも大きい（ｄ３＞ｄ４）。そのため、弾性力Ａｒｔ１〜Ａｒｔ４，Ａｒｃ０〜Ａｒｃ４を効果的に生じさせることが可能となる。
【００８４】
本実施形態では、規制部材１３０が基端部１３１を含み、規制部材２３０が基端部２３１を含んでいる。そのため、各コネクタ１００，２００をそれぞれ対応する配線基板Ｂ１，Ｂ２に取り付ける取付部としての機能を各規制部材１３０，２３０が併有する。従って、新たな部材が不要となるので、構成の簡略化及びコストの低減を図ることが可能となる。
【００８５】
本実施形態では、図１０に示されるように、載置状態において、規制部材１３０の突出部１３３ｂと規制部材２３０の突出部２３２ｂとが当接しているが、導電端子１２０の突出部１２３ａと導電端子２２０の突出部２２２ｂとは当接していない。そのため、導電端子１２０，２２０同士の間に電気が流れないので、非嵌合状態にあるコネクタ装置１を導通検査の実施によって簡易に選別することが可能となる。
【００８６】
本実施形態では、図４に示されるように、リセプタクルコネクタ１００において、導電端子１２０が側壁部１１２，１１３に取り付けられており、規制部材１３０が側壁部１１４，１１５に取り付けられている。図７に示されるように、プラグコネクタ２００において、導電端子２２０が側壁部２１２，２１３に取り付けられており、規制部材２３０が側壁部２１４，２１５に取り付けられている。そのため、導電端子１２０，２２０同士及び規制部材１３０，２３０同士が、収容凹部Ｖ内において接触する。従って、コネクタ１００，２００同士の嵌合方向において、導電端子１２０，２２０同士及び規制部材１３０，２３０同士が接触するスペースが削減される。従って、コネクタ装置１の小型化を図ることが可能となる。
【００８７】
本実施形態では、リセプタクルコネクタ１００において、一対の規制部材１３０が複数の導電端子１２０を間に置くように位置している。プラグコネクタ２００において、一対の規制部材２３０が複数の導電端子２２０を間に置くように位置している。そのため、これらの一対の規制部材１３０，２３０同士が係合することで、コネクタ装置１の両端側において両コネクタ１００，２００の嵌合状態が保持される。従って、両コネクタ１００，２００がいったん嵌合すると、コネクタ１００，２００同士が外れ難くなる。
【００８８】
［他の実施形態］
以上、本開示に係る実施形態について詳細に説明したが、本発明の要旨の範囲内で種々の変形を上記の実施形態に加えてもよい。
【００８９】
＜ａ＞例えば、本実施形態に係るリセプタクルコネクタ１００に代えて、図１５及び図１６に示されるリセプタクルコネクタ１００Ａを用いてもよい。リセプタクルコネクタ１００Ａは、リセプタクルコネクタ１００と比較して、側壁部１１４，１１５の形状と、導電端子１２０の数と、規制部材１３０に代えて複数の規制部材１４０を有している点とで相違する。以下では、主としてこれらの相違点について説明する。
【００９０】
側壁部１１４，１１５には、スリットが設けられておらず、規制部材１３０が取り付けられていない。なお、図示していないが、リセプタクルコネクタ１００Ａに対応するプラグコネクタ２００の側壁部２１４，２１５にも、規制部材２３０が取り付けられていない。リセプタクルコネクタ１００Ａにおいては、１８個の導電端子１２０が側壁部１１２，１１３にそれぞれ取り付けられている。
【００９１】
一対の規制部材１４０は、側壁部１１２において複数の導電端子１２０を間に置くように位置している。規制部材１４０は、板状の導電材料（例えば金属部材）によって構成されている。規制部材１４０は、導電端子１２０と同様に、図１６に示されるように、基端部１４１（取付部）と、中間部１４２と、接触部１４３とを含む。接触部１４３は、突出部１４３ａと、湾曲部１４３ｂと、突出部１４３ｃとを含む。導電端子１２０と比較すると、突出部１４３ａの頂点Ｐ５の位置が突出部１２３ａの頂点Ｐ１（図６参照）と異なる。具体的には、配線基板Ｂ１の表面から突出部１４３ａの頂点Ｐ５までのＺ方向における高さｄ５は、高さｄ１よりも高く設定されている。すなわち、頂点Ｐ５は、頂点Ｐ１よりも上方（対向面Ｓ２側）に位置している。なお、図１５及び図１６の形態では、規制部材１４０が導電端子として機能してもよい。
【００９２】
続いて、図１７〜図２１を参照して、リセプタクルコネクタ１００Ａとプラグコネクタ２００との嵌合過程を説明する。まず、図１７に示されるように、リセプタクルコネクタ１００Ａにプラグコネクタ２００を載置する。このとき、導電端子１２０及び規制部材１４０はそれぞれ対応する導電端子２２０と向かい合う。なお、規制部材１４０に対応する導電端子２２０は、規制部材として機能してもよい。
【００９３】
載置状態では、図１７（ｂ）に示されるように、突出部１４３ａの頂点Ｐ５よりも上方（対向面Ｓ２側）の斜面と、突出部２２２ｂの頂点Ｐ３よりも下方（対向面Ｓ４側）の斜面とが当接する。そのため、突出部１４３ａは、プラグコネクタ２００の重量を受けつつ、その反力を突出部２２２ｂに付与する。従って、規制部材１４０は、プラグコネクタ２００をリセプタクルコネクタ１００Ａから離間させる方向に作用する弾性力Ａｒｃ０を突出部２２２ｂに付与している。一方、載置状態では、図１７（ａ）に示されるように、導電端子１２０の突出部１２３ａと、当該導電端子１２０に対応する導電端子２２０の突出部２２２ｂとは当接していない。従って、導電端子１２０と導電端子２２０とは電気的に接続されていない。
【００９４】
次に、図１８に示されるように、載置状態にあるプラグコネクタ２００に圧力Ｐｒ１を付与して、リセプタクルコネクタ１００Ａに対してプラグコネクタ２００を押し込む。この第１の加圧状態では、図１８（ｂ）に示されるように、突出部２２２ｂには、規制部材１４０から離間方向に作用する弾性力Ａｒｃ１が付与されている。一方、第１の加圧状態では、図１８（ａ）に示されるように、突出部２２２ｂには、対応する導電端子１２０から離間方向に作用する弾性力Ａｒｔ１が付与されている。従って、この時点で圧力Ｐｒ１が除荷された場合には、プラグコネクタ２００は、弾性力Ａｒｃ１，Ａｒｔ１により載置状態に戻される。すなわち、導電端子１２０と導電端子２２０とが電気的に接続された状態から電気的に接続されていない状態に戻される。
【００９５】
次に、図１９に示されるように、第１の加圧状態にあるプラグコネクタ２００に圧力Ｐｒ２を付与し、リセプタクルコネクタ１００Ａに対してプラグコネクタ２００をさらに押し込む。この第２の加圧状態では、図１９（ｂ）に示されるように、突出部２２２ｂの頂点Ｐ３は突出部１４３ａの頂点Ｐ５と略同じ高さ位置にある。そのため、突出部１４３ａの頂点Ｐ５及び突出部２２２ｂの頂点Ｐ３には、規制部材１４０の接触部１４３の弾性力Ａｒｃ２によって水平方向への力が働く。従って、規制部材１４０は、突出部２２２ｂに対して、両コネクタ１００Ａ，２００を互いに離間させる方向にも近接させる方向にも弾性力を付与していない。一方、第２の加圧状態では、図１９（ａ）に示されるように、突出部２２２ｂには、対応する導電端子１２０から離間方向に作用する弾性力Ａｒｔ２が付与されている。従って、この時点で圧力Ｐｒ２が除荷されると、プラグコネクタ２００が、弾性力Ａｒｔ２により載置状態に戻される。すなわち、導電端子１２０と導電端子２２０とが電気的に接続された状態から電気的に接続されていない状態に戻される。
【００９６】
次に、図２０に示されるように、第２の加圧状態にあるプラグコネクタ２００に圧力Ｐｒ３を付与し、リセプタクルコネクタ１００Ａに対してプラグコネクタ２００をさらに押し込む。この第３の加圧状態では、図２０（ｂ）に示されるように、突出部１４３ａの頂点Ｐ５よりも下側（実装面Ｓ１側）の斜面と、突出部２２２ｂの頂点Ｐ３よりも上側（実装面Ｓ３側）の斜面とが当接する。突出部２２２ｂは、規制部材１４０の接触部１４３の弾性力によって、突出部１４３ａを外側に向けて押しのけつつ下方に移動していく。そのため、突出部１４３ａは、突出部２２２ｂによる水平方向の変位量が小さくなり、規制部材１４０を元の形状に戻そうとする反力を突出部２２２ｂに付与する。従って、規制部材１４０は、プラグコネクタ２００をリセプタクルコネクタ１００Ａに近接させる方向に作用する弾性力Ａｒｃ３を突出部２２２ｂに付与している。一方、第３の加圧状態では、図２０（ａ）に示されるように、突出部１２３ａの頂点Ｐ１及び対応する突出部２２２ｂの頂点Ｐ３には、導電端子１２０の接触部１２３の弾性力Ａｒｔ３によって水平方向への力が働く。そのため、導電端子１２０は、突出部２２２ｂに対して、両コネクタ１００Ａ，２００を互いに離間させる方向にも近接させる方向にも弾性力を付与していない。従って、プラグコネクタ２００は、弾性力Ａｒｃ３によりリセプタクルコネクタ１００Ａ内に引き込まれる。
【００９７】
プラグコネクタ２００がリセプタクルコネクタ１００Ａ内に引き込まれると、図２１（ｂ）に示されるように、接触部１４３内に対応する導電端子１２０が挿入された状態となる。一方、図２１（ａ）に示されるように、突出部１２３ａの頂点Ｐ１よりも下側（実装面Ｓ１側）の斜面と、突出部２２２ｂの頂点Ｐ３よりも上側（実装面Ｓ３側）の斜面とが当接する。突出部２２２ｂは突出部１２３ａを外側に向けて押しつつ下方に移動していくので、突出部１２３ａは、導電端子１２０が元の形状に戻ろうとする反力を突出部２２２ｂに付与する。従って、導電端子１２０は、プラグコネクタ２００をリセプタクルコネクタ１００Ａに近接させる方向に作用する弾性力Ａｒｔ４を突出部２２２ｂに付与している。そのため、プラグコネクタ２００は、弾性力Ａｒｔ４によりリセプタクルコネクタ１００Ａ内にさらに引き込まれる。これにより、リセプタクルコネクタ１００Ａとプラグコネクタ２００との嵌合が完了する。こうして、コネクタ装置１が完成する。
【００９８】
＜ｂ＞図２２及び図２３に示されるように、リセプタクルコネクタ１００Ｂにおいて、複数の導電端子１２０の各頂点Ｐ１は、これらの導電端子１２０が並ぶ配列方向（Ｙ方向）において列の中央近傍から端部に向かうにつれて上方（対向面Ｓ２側）に順次近づいていてもよい。ここで、配列方向において列の中央近傍に位置する導電端子１２０を「導電端子１２０Ａ」と称し、配列方向において列の中央近傍と端部との間に位置する導電端子１２０を「導電端子１２０Ｂ」と称し、配列方向において列の端部に位置する導電端子１２０を「導電端子１２０Ｃ」と称する。図２３に示されるように、パラメータｄ１ａ，ｄ１ｂ，ｄ１ｃをそれぞれ
ｄ１ａ：配線基板Ｂ１の表面から導電端子１２０Ａの突出部１２３ａの頂点Ｐ１ａまでのＺ方向における高さ
ｄ１ｂ：配線基板Ｂ１の表面から導電端子１２０Ｂの突出部１２３ａの頂点Ｐ１ｂまでのＺ方向における高さ
ｄ１ｃ：配線基板Ｂ１の表面から導電端子１２０Ｃの突出部１２３ａの頂点Ｐ１ｃまでのＺ方向における高さ
としたときに、ｄ１ａ＜ｄ１ｂ＜ｄ１ｃが満たされている。すなわち、頂点Ｐ１ａは、頂点Ｐ１ｂよりも下方（実装面Ｓ１側）に位置している。頂点Ｐ１ｂは、頂点Ｐ１ｃよりも下方（実装面Ｓ１側）に位置している。
【００９９】
この場合、両コネクタ１００Ｂ，２００が嵌合する過程で、まず導電端子１２０Ｃの突出部１２３ａと導電端子２２０の突出部２２２ｂとが係合し、引き続いて導電端子１２０Ｂの突出部１２３ａと導電端子２２０の突出部２２２ｂとが係合し、最後に導電端子１２０Ａの突出部１２３ａと導電端子２２０の突出部２２２ｂとが係合する。そのため、コネクタ１００Ｂ，２００が嵌合する過程で、突出部１２３ａ，２２２ｂとの間に弾性力Ａｒ３（引込力）が段階的に作用する。従って、大きな外力を付与しなくてもコネクタ１００Ｂ，２００が嵌合しやすくなる。
【０１００】
なお、複数の導電端子１２０のうちの一部の各頂点Ｐ１が、配列方向において上方（対向面Ｓ２側）に順次近づいていてもよい。プラグコネクタ２００が有する複数の導電端子２２０においても同様である。
【０１０１】
＜ｃ＞図２４に示されるように、一方のコネクタが係止孔を有しており、他方のコネクタが係止片を有していてもよい。具体的には、図２４では、リセプタクルコネクタ１００Ｃの側壁部１１５には、規制部材１３０に代えて、内側に向けて開口した係止孔１１７が形成されている。プラグコネクタ２００Ｃの側壁部２１５には、規制部材２３０に代えて、外方に向けて突出する係止片２１７が形成されている。両コネクタ１００Ｃ，２００Ｃが嵌合する際には、まず係止片２１７を係止孔１１７に係止し、係止孔１１７に係止された係止片２１７を支点としてプラグコネクタ２００Ｃをリセプタクルコネクタ１００Ｃに対して回転して、側壁部２１４における規制部材２３０の突出部２３２ｂを側壁部１１４における規制部材１３０の突出部１３３ｂを引っ掛けるようにしてもよい。
【０１０２】
＜ｄ＞ハウジング１１０，２１０の形状は、必ずしも直方体形状に限られず、他の形状（例えば、立方体形状、多角柱形状、円柱状等）であってもよい。
【０１０３】
＜ｅ＞突出部１２３ａ，２２２ｂのうち少なくとも一方が弾性変形してもよい。同様に、突出部１３３ｂ，２３２ｂのうち少なくとも一方が弾性変形してもよい。
【０１０４】
＜ｆ＞突出部１２３ａ，１３３ｂ，２２２ｂ，２３２ｂは、山型形状を呈していなくてもよい。例えば、側壁部１１２に設けられている突出部１２３ａは、側壁部１１２側から側壁部１１３側又は中央壁部１１６側（対応する導電端子２２０）に向けて突出していればよい。具体的には、突出部１２３ａのうち頂点Ｐ１から上方の部分（頂点Ｐ１と中間部１２２との間の部分）は、頂点Ｐ１から見て、上方（対向面Ｓ２）に向かうにつれて側壁部１１２に近づくように傾斜していればよい。一方、突出部１２３ａのうち頂点Ｐ１から下方の部分（頂点Ｐ１と湾曲部１２３ｂとの間の部分）は、必ずしも、頂点Ｐ１からみて、下方（実装面Ｓ１）に向かうにつれて側壁部１１２に近づくように傾斜していなくてもよい。他の突出部１３３ｂ，２２２ｂ，２３２ｂにおいても同様である。
【０１０５】
＜ｇ＞載置状態において、導電端子１２０，２２０同士が接触していてもよい
【０１０６】
＜ｈ＞規制部材１３０は、複数の導電端子１２０を間に置くように位置していなくてもよい。すなわち、規制部材１３０は、導電端子１２０に対して任意の位置にあってもよい。規制部材２３０においても同様である。
【０１０７】
＜ｉ＞リセプタクルコネクタ１００が少なくとも一つの規制部材１３０を有しており、プラグコネクタ２００が少なくとも一つの規制部材２３０を有していてもよい。
【０１０８】
＜ｊ＞導電端子１２０，２２０にそれぞれ突出部１２３ａ，２２２ｂが存在しておらず、規制部材１３０，２３０の各突出部１３３ｂ，２３２ｂのみで両コネクタ１００，２００の嵌合が行われてもよい。
【０１０９】
＜ｋ＞規制部材１３０が取付部としての機能を有しておらず、他の部材によってリセプタクルコネクタ１００が配線基板Ｂ１に対して取り付けられていてもよい。規制部材２３０においても同様である。
【０１１０】
＜ｌ＞規制部材１３０，２３０の間に弾性力が作用すればよいため、規制部材１３０，２３０は金属以外の他の材料で形成されていてもよい。すなわち、規制部材１３０，２３０は樹脂部材等であってもよい。規制部材１３０，２３０がハウジング１１０，２１０と同一材料で形成されており、互いに一体化されていてもよい。
【符号の説明】
【０１１１】
１…コネクタ装置、１００，１００Ａ，１００Ｂ，１００Ｃ…リセプタクルコネクタ（第２のコネクタ）、１１０…ハウジング（絶縁ハウジング）、１１２，１１３…側壁部（壁部）、１２０，１２０Ａ，１２０Ｂ，１２０Ｃ…導電端子（第２の導電端子）、１２１…基端部（取付部）、１２３ａ…突出部、１３０…規制部材（第２の規制部材）、１３１…基端部（取付部）、１３３ｂ…突出部、１４０…規制部材、２００，２００Ｃ…プラグコネクタ（第１のコネクタ）、２１０…ハウジング（第１の絶縁ハウジング）、２１２，２１３…側壁部（壁部）、２２０…導電端子（第１の導電端子）、２２１…基端部（取付部）、２２２ｂ…突出部、２３０…規制部材（第１の規制部材）、２３１…基端部（取付部）、２３２ｂ…突出部、Ａｒｃ０…弾性力（第１の弾性力）、Ａｒｔ１…弾性力（第３の弾性力）、Ａｒｔ３…弾性力（第４の弾性力）、Ａｒｃ４…弾性力（第２の弾性力）、Ｂ１…配線基板（第２の配線基板）、Ｂ２…配線基板（第１の配線基板）、Ｐ１〜Ｐ５…頂点、Ｓ１…実装面（第２の実装面）、Ｓ２…対向面（第２の対向面）、Ｓ３…実装面（第１の実装面）、Ｓ４…対向面（第１の対向面）、Ｖ…収容凹部、Ｗ…嵌合凸部。
【図１】
2018101559.tif 000003
【図２】
2018101559.tif 000004
【図３】
2018101559.tif 000005
【図４】
2018101559.tif 000006
【図５】
2018101559.tif 000007
【図６】
2018101559.tif 000008
【図７】
2018101559.tif 000009
【図８】
2018101559.tif 000010
【図９】
2018101559.tif 000011
【図１０】
2018101559.tif 000012
【図１１】
2018101559.tif 000013
【図１２】
2018101559.tif 000014
【図１３】
2018101559.tif 000015
【図１４】
2018101559.tif 000016
【図１５】
2018101559.tif 000017
【図１６】
2018101559.tif 000018
【図１７】
2018101559.tif 000019
【図１８】
2018101559.tif 000020
【図１９】
2018101559.tif 000021
【図２０】
2018101559.tif 000022
【図２１】
2018101559.tif 000023
【図２２】
2018101559.tif 000024
【図２３】
2018101559.tif 000025
【図２４】
2018101559.tif 000026